(57)【特許請求の範囲】
【請求項１】
シャーシ内に取付けられるファイバオプティックストランシーバに必要とされるパネル開口を通る放射を防止する遮蔽付きファイバオプティックスコネクタであって、
ファイバオプティックスコネクタ（12）と、
前記コネクタ（12）を覆う導電性外殻（14）と、
前記コネクタ（12）の周りに形成され、前記導電性外殻（14）に取り付けられた圧縮可能な導電性フランジ（14A）であって、前記コネクタ（12）が前記パネル開口の一つに挿入されると広がり、前記シャーシに電気的に接触するように構成される、導電性フランジ（14A）と、
を含む、遮蔽付きファイバオプティックスコネクタ。
【請求項２】
前記導電性フランジ（14A）は、弾性のフィンガを有する管であり、前記弾性のフィンガは、前記コネクタ（12）の周囲に分布している、請求項１に記載の遮蔽付きファイバオプティックスコネクタ。
【請求項３】
さらに留め具を備え、該留め具が、少なくとも一つの弾性のフィンガを前記シャーシに取付けるよう機能する、請求項２に記載の遮蔽付きファイバオプティックスコネクタ。
【請求項４】
前記弾性のフィンガが、圧縮可能なピンである、請求項２に記載の遮蔽付きファイバオプティックスコネクタ。
【請求項５】
前記弾性のフィンガが、導電性ばねである、請求項２に記載の遮蔽付きファイバオプティックスコネクタ。
【請求項６】
前記コネクタ（12）が少なくとも２本のファイバを備えており、
前記外殻（14）は更に、前記ファイバ間に少なくとも一つの導電性ストリップ（18）を備えている、請求項１に記載の遮蔽付きファイバオプティックスコネクタ。
【発明の詳細な説明】
【０００１】
【発明の属する技術分野】
本発明は、遠距離通信への適用を目的としている。特に本発明は、ファイバオプティックスの用途で使用されるコネクタの遮蔽を目的としている。
【０００２】
【従来の技術】
歴史的に電気コネクタは、遮蔽されて信号線に対する放射及び外部発生源からの雑音が防止されている。高い動作周波数はそれらの効果から免れられると信じられているので、遮蔽はファイバオプティックスモジュールに取り入れられていない。実際には、ファイバオプティックスモジュールは電磁信号を放射している。47ＣＦＲ§15で、合衆国政府は、商用及び消費者用のディジタル用途について放射線放射規則を規定している。商用、すなわち３mの距離で１Ｇビット/秒を超える周波数での放射線放射標準のＡ級については、電界強度は46dB/mに相関している。消費者用、すなわち３mの距離で１Ｇビット/秒を超える周波数での放射線放出標準のＢ級については、電界強度は、500μボルト/m又は54dBμボルト/m未満である。多数の製品について、このＦＣＣ仕様を満たすには遮蔽が必要である。
【０００３】
【発明が解決しようとする課題】
ファイバオプティックスコネクタをシャーシのパネル開口を通して挿入すると、モジュールに出入りするようにする「窓」はモジュールよりも大きい。好ましくない電気放射がパネル開口を介して漏れる可能性がある。その結果、ファイバオプティックス製品は、しばしは各ファイバオプティックス構成要素に対して特別仕立ての遮蔽を必要とする。製造公差のために、内部及び外部の遮蔽を正しく接続させることは困難である。
【０００４】
製造しやすく、かつ好ましくない電気放射を確実に排除する高速ディジタル用途に対する一様な遮蔽が望まれる。
【０００５】
【課題を解決するための手段】
導電性遮蔽がコネクタの周りに形成される。この遮蔽は圧縮可能なフランジを備える。コネクタがシャーシのパネル開口に挿入されると、フランジは広がり、ファイバオプティックストランシーバからの及びハウジング内の他の放射源からの放射を防止する。
【０００６】
【発明の実施の形態】
図１は、遮蔽付きコネクタ10を示す。コネクタ12は、導電性外殻14により囲まれている。外殻14は、コネクタの外に突出している圧縮可能フランジ14Ａを備えている。フランジ14Ａは、コネクタ10が２つ一組のもう一方のコネクタ（図示せず）に取付けられると、シャーシのコネクタ側からの電気放射を阻止する形状をしている。フランジ14Ａは、コネクタ12が２つ一組のもう一方のコネクタに挿入されると、シャーシ（図示せず）に接触してハウジングを電気的に接地する。接地ハウジングは、コネクタ12に対して電気的に遮蔽されている。
【０００７】
フランジ14Ａは、図２に示すように、弾性のあるフィンガを備えることができる。フィンガの幾つかを半田により留めるか、または固定することができ、たとえば、フィンガは座金として機能し、シャーシにネジ止めされて電気的接続性が更に向上される。
【０００８】
代替的には、図３に示すように、フィンガの代わりにピン14Ａが使用される。
【０００９】
図４では、フィンガが導電性ばね12で置き換えられている。
【００１０】
図５及び図６は、コネクタ12及び圧縮可能フランジ14Ａを囲む剛い外殻14を備える一実施形態10を示す。図６に示すように、２つ一組のもう一方の光ファイバコネクタに挿入されると、フランジ14Ａは、挿入された際に、シャーシ16に対して圧縮して電気的接地を形成する。
【００１１】
図７の多重コネクタの実施形態においては、各コネクタ12Ａ、12Ｂの周りに金属枠、すなわち窓ガラスが存在するように、金属フィンガ18を追加することにより、シャーシ内部からの放射が減少可能である。
【００１２】
図８において、管14は細長い曲がったフィンガ14Ａを備えている。管14は、開口よりわずかに大きい。細長い曲がったフィンガ14Ａが圧縮されると、管は一時的に大きさが小さくなり、２つ一組のもう一方のファイバオプティックスコネクタ20に挿入可能である。フィンガ14Ａが解放されると、管14はパネル開口の中で広がり、電気的接地を作り出す。
【００１３】
以下においては、本発明の種々の構成要件の組み合わせからなる例示的な実施態様を示す。
【００１４】
１．シャーシ内に取付けられるファイバオプティックストランシーバに必要とされるパネル開口を通る放射を防止する遮蔽付きファイバオプティックスコネクタであって、
ファイバオプティックスコネクタと、
該コネクタを覆う導電性外殻と、さらに
前記コネクタが前記パネル開口の一つに挿入されると、前記シャーシに電気的に接触するように、前記外殻に取付けられて、前記コネクタの周囲を囲む圧縮可能な手段と、
を備えていることを特徴とする遮蔽付きファイバオプティックスコネクタ。
【００１５】
２．前記圧縮可能な手段が、弾性のあるフィンガを有する管であり、該フィンガが、前記コネクタの周囲のまわりに分布している、１項に記載の遮蔽付きファイバオプティックスコネクタ。
【００１６】
３．さらに留め具を備え、該留め具が、少なくとも一つの弾性のあるフィンガをシャーシに取付けるよう機能する、２項に記載の遮蔽付きファイバオプティックスコネクタ。
【００１７】
４．前記弾性のあるフィンガが圧縮可能なピンである、２項に記載の遮蔽付きファイバオプティックスコネクタ。
【００１８】
５．前記弾性のあるフィンガが導電性ばねである、２項に記載の遮蔽付きファイバオプティックスコネクタ。
【００１９】
６．前記コネクタが少なくとも２本のファイバを備えており、
さらに前記外殻が、前記ファイバ間に少なくとも一つの導電性ストリップを備えている、１項に記載の遮蔽付きファイバオプティックスコネクタ。
【００２０】
７．前記管が、前記パネル開口の一つよりわずかに大きく、
少なくとも一つの前記弾性のあるフィンガが、細長く、且つ曲がっていて、前記パネル開口に挿入できるように押すと前記管の周囲が前記開口より小さくなり、前記細長いフィンガが解放されると電気的接地を形成する、２項に記載の遮蔽付きファイバオプティックスコネクタ。
【００２１】
８．前記圧縮可能な手段が、前記シャーシに電気的に接触する多重ばね接点である、１項に記載の遮蔽付きファイバオプティックスコネクタ。
【００２２】
【発明の効果】
導電性遮蔽がファイバオプティックスコネクタの周囲に形成される。この遮蔽は、コネクタの周囲を取り囲む圧縮可能な手段を含む。コネクタが挿入されると、圧縮可能な手段が、シャーシに電気的に接触し、ファイバオプティックストランシーバに必要とされるパネル開口を介する放射を防ぐ。
【図面の簡単な説明】
【図１】本発明の遮蔽付きコネクタを示す。
【図２】金属フィンガを使用する一実施形態を示す。
【図３】ピンを使用する一実施形態を示す。
【図４】導電性ばねを使用する一実施形態を示す。
【図５】圧縮可能フランジを有する一実施形態を示す。
【図６】圧縮可能フランジを有する一実施形態を示す。
【図７】多重コネクタの実施形態を示す。
【図８】レバー型フィンガを有する一実施形態を示す。
【符号の説明】
10      遮蔽付きコネクタ
12      コネクタ
14      外殻
14Ａ    フランジ
【図１】
0004926311.tif 000002
【図２】
0004926311.tif 000003
【図３】
0004926311.tif 000004
【図４】
0004926311.tif 000005
【図５】
0004926311.tif 000006
【図６】
0004926311.tif 000007
【図７】
0004926311.tif 000008
【図８】
0004926311.tif 000009